(57)【要約】      （修正有）【課題】炎の鑑賞を妨げることなく燃焼中の固形燃料や灰が外部に落ちることを防止する、組立式焚火台を提供する。【解決手段】組立式焚火台１００は、トレー１１０と、複数のプレート１２０とを備える。トレーは、多角形状を成す上面１１２を有する。複数のプレートは、模様を構成する複数の貫通孔１２４がそれぞれ形成されている。複数のプレートは、上面の上にそれぞれ直立した状態で隣接する他のプレートと係合することによって、上面の外周に沿った多角形状の枠を形成可能に構成されている。【選択図】図１
0003234891.tif 000002
【実用新案登録請求の範囲】
【請求項１】
組立式焚火台であって、
多角形状を成す上面を有するトレーと、
模様を構成する複数の貫通孔がそれぞれ形成された複数のプレートと
を備え、
前記複数のプレートは、前記上面の上にそれぞれ直立した状態で隣接する他のプレートと係合することによって、前記上面の外形に沿った多角形状の枠を形成可能に構成されている、組立式焚火台。
【考案の詳細な説明】
【技術分野】
【０００１】
本明細書は、組立式焚火台に関する技術を開示する。
【背景技術】
【０００２】
薪や炭などの固形燃料を燃やして安全に焚火を行うための器具として組立式焚火台が知られている（特許文献１を参照）。
【先行技術文献】
【特許文献】
【０００３】
【特許文献１】特開２０２１−１１３６２８号公報
【考案の概要】
【考案が解決しようとする課題】
【０００４】
特許文献１の組立式焚火台では、燃焼中の固形燃料や灰が外部に落ちることを防止するために、すり鉢状に配置された側板が固形燃料の側方を取り囲んでいるため、その側板が炎の鑑賞を妨げるという問題があった。
【課題を解決するための手段】
【０００５】
本明細書に開示する技術は、以下の形態として実現できる。
【０００６】
本明細書に開示する一形態は、組立式焚火台である。この組立式焚火台は、多角形状を成す上面を有するトレーと；模様を構成する複数の貫通孔がそれぞれ形成された複数のプレートとを備える。前記複数のプレートは、前記上面の上にそれぞれ直立した状態で隣接する他のプレートと係合することによって、前記上面の外形に沿った多角形状の枠を形成可能に構成されている。
【０００７】
この形態の組立式焚火台によれば、重ね合わせて収納可能な板状のトレーおよび複数のプレートによって可搬性を確保しつつ、トレーの上面において複数のプレートで形成した枠の内側で固形燃料を燃焼させることによって、プレートの貫通孔を通じて通気を確保しながら側方からの炎の鑑賞を可能とする。また、燃焼中の固形燃料や灰は、直立したプレートの貫通孔を通過し難く、そのままトレー上で受け止められる。したがって、炎の鑑賞を妨げることなく燃焼中の薪や炭が外部に落ちることを防止できる。
【０００８】
本明細書に開示する技術は、組立式焚火台とは異なる種々の形態で実現できる。本明細書に開示する技術は、例えば、組立式焚火台の部品、組立式焚火台の製造方法などの形態で実現できる。
【図面の簡単な説明】
【０００９】
【図１】組立式焚火台を示す斜視図である。
【図２】組立式焚火台を示す説明図である。
【図３】プレートの詳細を示す表面図である。
【考案を実施するための形態】
【００１０】
図１は、組立式焚火台１００を示す斜視図である。図２は、組立式焚火台１００を示す説明図である。図２（ａ）は組立式焚火台１００の平面図であり、図２（ｂ）は組立式焚火台１００の正面図であり、図２（ａ）は組立式焚火台１００の底面図である。図３は、プレート１２０の詳細を示す表面図である。
【００１１】
組立式焚火台１００は、薪や炭などの固形燃料を燃やして安全に焚火を行うための器具である。組立式焚火台１００は、着脱可能に構成された複数の部品によって構成される。組立式焚火台１００は、着脱可能に構成された部品として、トレー１１０と、複数のプレート１２０と、複数の脚部１３０と、複数のツマミネジ１４０とを備える。本実施形態では、プレート１２０の個数は６つ、脚部１３０の個数は３つ、ツマミネジ１４０の個数は３つである。トレー１１０、プレート１２０および脚部１３０の材質は、ステンレスであってもよいし、黒皮鉄であってもよい。
【００１２】
組立式焚火台１００のトレー１１０は、固形燃料を載置する皿状の器である。トレー１１０は、上面１１２と、側壁１１４と、底面１１６と、脚固定部１１８とを有する。
【００１３】
トレー１１０の上面１１２は、上方を向いた面である。上面１１２は、多角形状を成し、本実施形態では、正六角形を成す。上面１１２には、複数のプレート１２０で形成した枠ＦＭを載置した上で、上面１１２における枠ＦＭの内側に固形燃料が載置される。
【００１４】
トレー１１０の側壁１１４は、上面１１２の外周から上方に突出した壁面である。側壁１１４は、上面１１２の周囲を取り囲む。側壁１１４は、複数のプレート１２０で形成した枠ＦＭが上面１１２から外れることを防止するとともに、固形燃料や灰が上面１１２から落ちることを防止する。
【００１５】
トレー１１０の底面１１６は、上面１１２の裏面である。底面１１６は、上面１１２と同じ多角形状を成し、本実施形態では、正六角形を成す。
【００１６】
トレー１１０の脚固定部１１８は、底面１１６に設けられ、脚部１３０を固定するための部位である。本実施形態では、脚固定部１１８の個数は３つであり、これらの脚固定部１１８は、六角形状の底面１１６の頂点のうち一つ置きに位置する３つの頂点付近にそれぞれ固定されている。本実施形態では、脚固定部１１８は、棒状の脚部１３０を挿入可能な中空円筒状のパイプであり、その側面にはツマミネジ１４０と螺合可能な雌ネジが形成されている。脚固定部１１８の一端は、底面１１６に溶接されている。脚固定部１１８に挿入された脚部１３０は、ツマミネジ１４０によって着脱可能に固定される。
【００１７】
組立式焚火台１００のプレート１２０は、模様を構成する複数の貫通孔１２４が形成された金属板である。図３におけるプレート１２０の貫通孔１２４にはハッチングが施されている。複数のプレート１２０は、トレー１１０の上面１１２の上にそれぞれ直立した状態で隣接する他のプレート１２０と係合することによって、上面１１２の外形に沿った多角形状の枠ＦＭを形成可能に構成されている。本実施形態では、プレート１２０の個数は６つであり、これらのプレート１２０は、六角形状の枠ＦＭを形成する。
【００１８】
プレート１２０は、他のプレート１２０と係合可能に構成された係合部１２２を有する。本実施形態では、プレート１２０の四隅に一方に開口したフック状を成す４つの係合部１２２を有する。これによって、複数のプレート１２０を隣同士で上下互い違いに配置した上で、隣同士で向かい合う係合部１２２を相互に係合させることによって、６つのプレート１２０から六角形状の枠ＦＭを構成できる。
【００１９】
以上説明した組立式焚火台１００によれば、重ね合わせて収納可能な板状のトレー１１０および複数のプレート１２０によって可搬性を確保しつつ、トレー１１０の上面１１２において複数のプレート１２０で形成した枠ＦＭの内側で固形燃料を燃焼させることによって、プレート１２０の貫通孔１２４を通じて通気を確保しながら側方からの炎の鑑賞を可能とする。また、燃焼中の固形燃料や灰は、直立したプレート１２０の貫通孔１２４を通過し難く、トレー１１０上で受け止められる。したがって、炎の鑑賞を妨げることなく燃焼中の固形燃料や灰が外部に落ちることを防止できる。
【００２０】
本明細書に開示する技術は、上述した実施形態、実施例および変形例に限られず、その趣旨を逸脱しない範囲において種々の構成で実現できる。例えば、上述した実施形態、実施例および変形例における技術的特徴のうち、発明の概要の欄に記載した各形態における技術的特徴に対応するものは、上述の課題の一部または全部を解決するために、あるいは、上述の効果の一部または全部を達成するために、適宜、差し替えおよび組み合わせることができる。また、本明細書中に必須なものとして説明されていない技術的特徴については、適宜、削除できる。
【００２１】
上面１１２および枠ＦＭの形状は、六角形に限らず、三角形、四角形、五角刑形など他の多角形であってもよい。組立式焚火台１００の脚部１３０は、３本の棒状の部材に限らず、組立式焚火台１００の設置面からトレー１１０の底面１１６との間に間隔を形成可能な構造であればよい。プレート１２０における複数の貫通孔１２４によって形成される模様は、上述の実施形態の模様に限るものではなく、プレート１２０のほぼ全域にわたって施された模様であればよい。
【符号の説明】
【００２２】
１００…組立式焚火台
１１０…トレー
１１２…上面
１１４…側壁
１１６…底面
１１８…脚固定部
１２０…プレート
１２２…係合部
１２４…貫通孔
１３０…脚部
１４０…ツマミネジ
ＦＭ…枠
【図１】
0003234891.tif 000003
【図２】
0003234891.tif 000004
【図３】
0003234891.tif 000005